(57)【特許請求の範囲】
【請求項１】
タンクの側壁を形成する、プレキャストコンクリートブロックからなる複数の側壁パネルを建て込むための建込み装置であって、
装置本体と、
吊下げ支持体と、
前記側壁パネルを吊り下げる吊下げ部とを備え、
前記装置本体は、前記吊下げ部に吊り下げられる前記側壁パネルを間におく一方側となる、建造される前記タンクの側壁の外側に位置する第１の本体部と、他方側となる、建造される前記タンクの側壁の内側に位置する第２の本体部とからなり、
前記吊下げ支持体は、前記第１の本体部および前記第２の本体部から上方に延設されるようにして、それら第１の本体部と第２の本体部に架け渡されて、前記吊下げ部は、前記吊下げ支持体の中間部分に設けられ、また、
前記第１の本体部および前記第２の本体部は、前記吊下げ部が前記側壁パネルを吊り下げた状態で、その側壁パネルを建て込む各位置まで、建造される前記タンクの側壁に沿って走行する、走行手段を有することを特徴とする、側壁パネルの建込み装置。
【請求項２】
建造物の側壁を形成する、プレキャストコンクリートブロックからなる複数の側壁パネルを建て込むための建込み装置であって、
装置本体と、
吊下げ支持体と、
前記側壁パネルを吊り下げる吊下げ部とを備え、
前記装置本体は、前記吊下げ部に吊り下げられる前記側壁パネルの一方側にのみ位置し、
前記吊下げ支持体は、前記装置本体から上方に延設される垂直部材と、その垂直部材の上端部分から、吊り下げられる前記側壁パネル側に延設される支持部材とから構成されて、前記吊下げ部は、前記支持部材に設けられ、また、
前記装置本体は、前記吊下げ部が前記側壁パネルを吊り下げた状態で、その側壁パネルを建て込む各位置まで走行する走行手段を有することを特徴とする、側壁パネルの建込み装置。
【請求項３】
請求項１または２に記載の建込み装置であって、
前記装置本体から上方に延設された足場支持体と、
前記足場支持体に支持されて、建て込まれる前記側壁パネルから前記吊下げ部を外す等の、前記側壁パネルの建込み作業に用いることができる作業足場とを備えることを特徴とする、側壁パネルの建込み装置。
【請求項４】
請求項３に記載の建込み装置であって、
前記作業足場は、前記足場支持体に、昇降可能に支持されることを特徴とする、側壁パネルの建込み装置。
【請求項５】
請求項３または４に記載の建込み装置であって、
前記吊下げ支持体の一部が、前記足場支持体を兼ねることを特徴とする、側壁パネルの建込み装置。
【請求項６】
請求項１ないし５のいずれか１項に記載の建込み装置であって、
前記吊下げ部は、前記吊下げ支持体に、走行方向とほぼ直交する水平方向に移動可能に設けられることを特徴とする、側壁パネルの建込み装置。
【請求項７】
請求項１に記載の建込み装置を用いて、タンクの側壁を形成する、プレキャストコンクリートブロックからなる複数の側壁パネルを建て込む、建込み方法であって、
前記建込み装置が、前記側壁パネルを吊り下げ始める所定の位置から、前記側壁パネルを吊り下げた状態で、その側壁パネルを建て込む各位置まで走行して、前記側壁パネルを建て込むことを特徴とする、側壁パネルの建込み方法。
【請求項８】
請求項２に記載の建込み装置を用いて、建造物の側壁を形成する、プレキャストコンクリートブロックからなる複数の側壁パネルを建て込む、建込み方法であって、
前記建込み装置が、前記側壁パネルを吊り下げ始める所定の位置から、前記側壁パネルを吊り下げた状態で、その側壁パネルを建て込む各位置まで走行して、前記側壁パネルを建て込むことを特徴とする、側壁パネルの建込み方法。
【請求項９】
請求項７または８に記載の建込み方法であって、
前記建込み装置は、建造される前記側壁に沿って敷かれたレール上を走行して、前記側壁パネルを建て込むことを特徴とする、側壁パネルの建込み方法。
【請求項１０】
請求項７ないし９のいずれか１項に記載の建込み方法であって、
前記側壁パネルは、その側壁パネルの仮置き場からクレーン等の荷役機械によって、前記建込み装置が前記側壁パネルを吊り下げ始める所定の位置まで運搬され、その所定の位置において、前記側壁パネルは、前記クレーン等の荷役機械から前記建込み装置に受け渡されることを特徴とする、側壁パネルの建込み方法。
【発明の詳細な説明】
【０００１】
【発明の属する技術分野】
この発明は、建造物の側壁を形成する、プレキャストコンクリートブロックからなる複数の側壁パネルを建て込む、建込み装置および建込み方法に関するものである。
【０００２】
【従来の技術および発明が解決しようとする課題】
従来、建造物として、例えば貯水タンクの側壁を形成する、プレキャストコンクリートブロックからなる複数の側壁パネルを建て込むには、トラッククレーンによる方法が一般的であった。図１３は、高地に建造される貯水タンクの側壁パネル２１を建て込む過程を示すものであり、建造場所の周囲には、傾斜面２２や崖２３が迫っている。このような場合、傾斜面２２や崖２３の途切れた箇所に、作業半径の大きな大型のトラッククレーン２４を据え付けて作業することとなり、この大型のトラッククレーン２４を使用することがコスト高の原因の一つとなっていた。特に、トラッククレーン２４が、建造場所まで乗り入れることができない場合には、建造場所に隣接する位置にトラッククレーン２４を据え付けなければならず、一層大きな大型のトラッククレーン２４が必要となった。
【０００３】
さらには、貯水タンクの側壁の施工にあたって、建て込まれて側壁を形成する側壁パネル２１の内外面に面する全周に足場を設置する必要があり、多くの資材と労力を要していた。図１３においては、建て込まれる側壁パネル２１、２１の外面に面して、外部足場２５のみが設置されているが、側壁パネル２１、２１が全て建て込まれた後には、側壁パネル２１、２１間の縦目地の処理等の作業をするために、前記外部足場２５の他に、側壁パネル２１、２１の内面に面して、内部足場が設置される。
【０００４】
この発明は、上記した従来の欠点を解決するためになされたものであり、その目的とするところは、大型のトラッククレーンを使用することなく、側壁パネルを建て込むことができる、側壁パネルの、建込み装置および建込み方法を提供することにある。
【０００５】
また、他の目的は、施工現場に設置する足場を簡略化することができる、側壁パネルの、建込み装置および建込み方法を提供することにある。
【０００６】
【課題を解決するための手段】
この発明に係る側壁パネルの、建込み装置および建込み方法は、前記目的を達成するために、次の構成からなる。すなわち、
請求項１に記載の発明に係る側壁パネルの建込み装置は、タンクの側壁を形成する、プレキャストコンクリートブロックからなる複数の側壁パネルを建て込むための建込み装置であって、装置本体と、吊下げ支持体と、前記側壁パネルを吊り下げる吊下げ部とを備える。ここで、前記装置本体は、前記吊下げ部に吊り下げられる前記側壁パネルを間におく一方側となる、建造される前記タンクの側壁の外側に位置する第１の本体部と、他方側となる、建造される前記タンクの側壁の内側に位置する第２の本体部とからなる。前記吊下げ支持体は、前記第１の本体部および前記第２の本体部から上方に延設されるようにして、それら第１の本体部と第２の本体部に架け渡されて、前記吊下げ部は、前記吊下げ支持体の中間部分に設けられる。そして、前記第１の本体部および前記第２の本体部は、前記吊下げ部が前記側壁パネルを吊り下げた状態で、その側壁パネルを建て込む各位置まで、建造される前記タンクの側壁に沿って走行する、走行手段を有する。
【０００７】
このように、この建込み装置によると、側壁パネルを吊り下げる吊下げ部は、第１および第２の本体部から上方に延設されるようにしてそれら第１の本体部と第２の本体部に架け渡される吊下げ支持体の中間部分に設けられる。従って、側壁パネルの重量を、その側壁パネルを間に置く一方側に位置する第１の本体部と、他方側に位置する第２の本体部とで支えることとなる。そして、第１の本体部および第２の本体部が有する走行手段により、この建込み装置が、側壁パネルを吊り下げた状態で、側壁パネルを建て込む各位置まで走行して、側壁パネルが建て込まれる。
また、請求項２に記載の発明に係る側壁パネルの建込み装置は、建造物の側壁を形成する、プレキャストコンクリートブロックからなる複数の側壁パネルを建て込むための建込み装置である。前記建込み装置は、装置本体と、吊下げ支持体と、前記側壁パネルを吊り下げる吊下げ部とを備える。ここで、前記装置本体は、前記吊下げ部に吊り下げられる前記側壁パネルの一方側にのみ位置する。前記吊下げ支持体は、前記装置本体から上方に延設される垂直部材と、その垂直部材の上端部分から、吊り下げられる前記側壁パネル側に延設される支持部材とから構成されて、前記吊下げ部は、前記支持部材に設けられる。そして、前記装置本体は、前記吊下げ部が前記側壁パネルを吊り下げた状態で、その側壁パネルを建て込む各位置まで走行する走行手段を有する。
この建込み装置によると、側壁パネルを吊り下げる吊下げ部は、側壁パネルの一方側にのみ位置する装置本体から上方に延設される垂直部材の上端部分から側壁パネル側に延設される支持部材に設けられる。そして、装置本体が有する走行手段により、この建込み装置が、側壁パネルを吊り下げた状態で、側壁パネルを建て込む各位置まで走行して、側壁パネルが建て込まれる。このように、走行手段を有して吊下げ支持体が延設される装置本体が、吊り下げられる側壁パネルの一方側にのみ位置しているため、たとえ側壁パネルの他方側に走行の障害となるような障害物があったとしても、側壁パネルの建て込みに何ら問題は生じない。
【０００８】
また、請求項３に記載の発明に係る側壁パネルの建込み装置のように、前記装置本体から上方に延設された足場支持体と、前記足場支持体に支持されて、建て込まれる前記側壁パネルから前記吊下げ部を外す等の、前記側壁パネルの建込み作業に用いることができる作業足場とを備えてもよい。これにより、この建込み装置が、側壁パネルを吊り下げた状態で、側壁パネルを建て込む位置に走行し、その側壁パネルを建て込む際に、装置本体から上方に延設された足場支持体に支持される作業足場に乗った作業者が、側壁パネルから吊下げ部を外す等の、側壁パネルの建込み作業を行うことができる。さらに、場合によっては、この作業足場を用いて、建て込まれる側壁パネル間の縦目地の処理をしたり、側壁パネルの塗装等を行うことも可能である。
【０００９】
また、請求項４に記載の発明に係る側壁パネルの建込み装置のように、前記作業足場は、前記足場支持体に、昇降可能に支持されてもよい。これにより、この昇降可能な作業足場を用いて、側壁パネルから吊下げ部を外す等の、建込み作業を容易に行うことができる。
【００１０】
また、請求項５に記載の発明に係る側壁パネルの建込み装置のように、前記吊下げ支持体の一部が、前記足場支持体を兼ねてもよい。このように、吊下げ支持体の一部が足場支持体を兼ねることで、この建込み装置を、コンパクトにすることができる。
【００１１】
また、請求項６に記載の発明に係る側壁パネルの建込み装置のように、前記吊下げ部は、前記吊下げ支持体に、走行方向とほぼ直交する水平方向に移動可能に設けられてもよい。これにより、この建込み装置の走行と、その走行方向とほぼ直交する、吊下げ部の水平方向の移動とによって、側壁パネルを建て込むにあたって、その建て込む位置を微調整することができる。
【００１２】
【００１３】
【００１４】
また、請求項７に記載の発明に係る側壁パネルの建込み方法は、請求項１に記載の建込み装置を用いて、タンクの側壁を形成する、プレキャストコンクリートブロックからなる複数の側壁パネルを建て込む、建込み方法であって、前記建込み装置が、前記側壁パネルを吊り下げ始める所定の位置から、前記側壁パネルを吊り下げた状態で、その側壁パネルを建て込む各位置まで走行して、前記側壁パネルを建て込むものである。このように、この建込み方法によると、建込み装置が、側壁パネルを吊り下げた状態で、側壁パネルを建て込む各位置まで走行して、側壁パネルが建て込まれる。そして、建込み装置が、装置本体から上方に延設された足場支持体に支持される作業足場を備える場合には、側壁パネルを建て込む際に、作業足場に乗った作業者が、側壁パネルから建込み装置の吊下げ部を外す等の、側壁パネルの建込み作業を行うことができる。さらに、場合によっては、この作業足場を用いて、建て込まれる側壁パネル間の縦目地の処理をしたり、側壁パネルの塗装等を行うことも可能である。
また、請求項８に記載の発明に係る側壁パネルの建込み方法は、請求項２に記載の建込み装置を用いて、建造物の側壁を形成する、プレキャストコンクリートブロックからなる複数の側壁パネルを建て込む、建込み方法であって、前記建込み装置が、前記側壁パネルを吊り下げ始める所定の位置から、前記側壁パネルを吊り下げた状態で、その側壁パネルを建て込む各位置まで走行して、前記側壁パネルを建て込むものである。このように、この建込み方法によると、建込み装置が、側壁パネルを吊り下げた状態で、側壁パネルを建て込む各位置まで走行して、側壁パネルが建て込まれる。そして、建込み装置が、装置本体から上方に延設された足場支持体に支持される作業足場を備える場合には、側壁パネルを建て込む際に、作業足場に乗った作業者が、側壁パネルから建込み装置の吊下げ部を外す等の、側壁パネルの建込み作業を行うことができる。さらに、場合によっては、この作業足場を用いて、建て込まれる側壁パネル間の縦目地の処理をしたり、側壁パネルの塗装等を行うことも可能である。
【００１５】
また、請求項９に記載の発明に係る側壁パネルの建込み方法のように、前記建込み装置は、建造される前記側壁に沿って敷かれたレール上を走行して、前記側壁パネルを建て込んでもよい。このように、建込み装置が、建造される側壁に沿って敷かれたレール上を走行することで、側壁パネルを建て込む各位置まで、無駄なく走行することができる。
【００１６】
また、請求項１０に記載の発明に係る側壁パネルの建込み方法のように、前記側壁パネルは、その側壁パネルの仮置き場からクレーン等の荷役機械によって、前記建込み装置が前記側壁パネルを吊り下げ始める所定の位置まで運搬され、その所定の位置において、前記側壁パネルは、前記クレーン等の荷役機械から前記建込み装置に受け渡されてもよい。これにより、側壁パネルの、仮置き場から側壁パネルを建て込む各位置までの運搬過程で、側壁パネルは、クレーン等の荷役機械から建込み装置に受け渡される。このように、側壁パネルの運搬が、荷役機械と建込み装置とで分担されており、各側壁パネルの、荷役機械による運搬と、建込み装置による運搬とを並行して行うことができる。
【００１７】
【発明の実施の形態】
以下、この発明に係る側壁パネルの、建込み装置および建込み方法の実施の形態を図面に基づいて説明する。
【００１８】
図１ないし図５は、本発明に係る側壁パネルの、建込み装置および建込み方法の第一の実施の形態を示す。図中１は、建造場所の周囲の傾斜面、２は、同じく崖である。３は、建造物としての貯水タンクの側壁を形成する側壁パネルであり、プレストレスの導入が可能なプレキャストコンクリートブロックからなっている。４は、サポート部材であり、基礎床面５上に建て込まれる側壁パネル３を、その内側で支持する。６は、建造される側壁に沿って、その側壁の外側および内側の基礎床面５に敷設されたレールである。７は、複数の前記側壁パネル３、３を建て込むための建込み装置であり、８は、荷役機械としての、小型のトラッククレーンである。
【００１９】
ここで、建込み装置７は、図２ないし図５に示すように、装置本体９と、吊下げ支持体１０と、側壁パネル３を吊り下げる吊下げ部としての移動吊り装置１１と、作業足場１２とを備えている。装置本体９は、移動吊り装置１１に吊り下げられる側壁パネル３を間におく一方側となる外側に位置する第１の本体部９ａと、他方側となる内側に位置する第２の本体部９ｂとからなる。第１の本体部９ａは、吊り下げられる側壁パネル３の外面３ａに面するようにして、その側壁パネル３の幅方向に長手となるように形成されている。そして、第２の本体部９ｂは、吊下げられる側壁パネル３の内面３ｂに面するようにして、その側壁パネル３の幅の中央部分に対向するように位置している。そして、第１および第２の本体部９ａ、９ｂには、移動吊り装置１１が側壁パネル３を吊り下げた状態で、その側壁パネル３を建て込む各位置まで、レール６、６上を走行する、走行手段としての車輪９ｃ、９ｃが設けられている。こうして、この建込み装置７は、レール６、６上を、第１の本体部９ａの長手方向でもある、吊り下げられる側壁パネル３の幅方向に走行可能となっている。
【００２０】
吊下げ支持体１０は、第１および第２の本体部９ａ、９ｂから上方に延設されるようにして、それら第１の本体部９ａと第２の本体部９ｂに架け渡されている。具体的には、吊下げ支持体１０は、第１の本体部９ａの、長手方向の両端部分から上方に鉛直に延設される第１の垂直部材１０ａ、１０ａと、第２の本体部９ｂから上方に鉛直に延設される第２の垂直部材１０ｂと、第１の垂直部材１０ａ、１０ａの上端部分をつなぐように水平に延設される水平部材１０ｃと、第２の垂直部材１０ｂの上端部分と水平部材１０ｃの中央部分とをつなぐようにして水平部材１０ｃに直交する水平方向に延設される支持部材１０ｄとから構成されている。
【００２１】
吊下げ部としての移動吊り装置１１は、吊下げ支持体１０の中間部分となる、支持部材１０ｄに、その支持部材１０ｄの延設される長手方向、すなわち、この建込み装置７の走行方向とほぼ直交する水平方向に移動可能に設けられている。そして、この移動吊り装置１１の下端には、上下動するフック部１１ａが設けられており、このフック部１１ａが、側壁パネル３の上端に取り付けられた逆Ｕ字状の支持金具１３に掛けられて、側壁パネル３が吊り下げられる。
【００２２】
また、作業足場１２は、第１の垂直部材１０ａ、１０ａ間に渡されるようにして、それら第１の垂直部材１０ａ、１０ａに、昇降可能に支持されている。こうして、吊下げ支持体１０の一部である第１の垂直部材１０ａ、１０ａが、作業足場１２を支持する足場支持体を兼ねることとなる。
【００２３】
次に、上述の建込み装置７を用いて、貯水タンクの側壁を形成する複数の側壁パネル３、３を建て込む、建込み方法を、図１に基づいて説明する。はじめに、据え付けられた小型のトラッククレーン８によって、仮置き場Ｋ１に置かれた側壁パネル３は、Ｐ方向に沿って、建込み装置７が側壁パネル３を吊り下げ始める所定の位置まで運搬される。そして、その所定の位置において、側壁パネル３は、トラッククレーン８から建込み装置７に受け渡される。次いで、建込み装置７は、前記所定の位置から、側壁パネル３を吊り下げた状態で、レール６、６上をＱ方向に、側壁パネル３を建て込む各位置まで走行して、側壁パネル３が建て込まれる。このとき、サポート部材４、４が、側壁パネル３と第２の本体部９ｂとの間において、側壁パネル３の内面３ｂと基礎床面５とに渡される。そして、作業足場１２に乗った作業者Ｍによって、側壁パネル３から移動吊り装置１１のフック部１１ａが外される。その後、建込み装置７は、レール６、６上を戻るようにしてＲ方向に、側壁パネル３を吊り下げ始める所定の位置まで走行する。そして、以上の施工手順が繰り返されて、側壁パネル３、３が、順次、建て込まれていく。
【００２４】
次に、上述の構成からなる建込み装置７および建込み方法の作用効果について説明する。この建込み装置７によると、側壁パネル３は、装置本体９から上方に延設された吊下げ支持体１０に設けられる移動吊り装置１１に吊り下げられる。そして装置本体９が有する車輪９ｃ、９ｃにより、この建込み装置７が、側壁パネル３を吊り下げた状態で、側壁パネル３を建て込む各位置まで走行して、側壁パネル３は建て込まれる。このように、建込み装置７が、側壁パネル３を吊り下げた状態で、側壁パネル３を建て込む各位置まで走行することで、作業半径の大きな大型のトラッククレーンを使用することなく、側壁パネル３を建て込むことができる。よって、大型のトラッククレーンの乗り入れが困難な狭盆地等での施工が可能となる。さらに、側壁パネル３を建て込むにあたって、大型のトラッククレーンを使用しないため、側壁パネル３の建込み費用が削減される。
【００２５】
また、側壁パネル３を建て込むにあたって、この建込み装置７の走行と、その走行方向とほぼ直交する、移動吊り装置１１の水平方向の移動とによって、その建て込む位置を微調整することができ、建込み作業が容易となっている。
【００２６】
また、移動吊り装置１１は、第１の本体部９ａと第２の本体部９ｂに架け渡される吊下げ支持体１０の中間部分の支持部材１０ｄに設けられている。従って、側壁パネル３の重量を、その側壁パネル３を間に置く一方側に位置する第１の本体部９ａと、他方側に位置する第２の本体部９ｂとで支えることとなり、その側壁パネル３を安定して吊り下げることができる。
【００２７】
また、この建込み装置７により、側壁パネル３を建て込む際に、この建込み装置７に備わる作業足場１２に乗った作業者Ｍが、側壁パネル３から移動吊り装置１１のフック部１１ａを外す等の、側壁パネル３の建込み作業を行うことができ、従って、施工現場に設置する足場を簡略化することができる。しかも、作業足場１２は、第１の垂直部材１０ａ、１０ａに昇降可能に支持されており、側壁パネル３からフック部１１ａを外す等の、建込み作業が容易に行われる。さらに、場合によっては、この作業足場１２を用いて、建て込まれる側壁パネル３、３間の縦目地の処理をしたり、側壁パネル３、３の塗装等を行うこともできる。こうして、作業足場１２が、側壁の外側に設置される外部足場の代わりとなり得ることから、外部足場の組立ておよび解体の人手とコストが削減される。また、第１の垂直部材１０ａ、１０ａは、吊下げ支持体１０の一部であって、作業足場１２を支持する足場支持体を兼ねているので、この建込み装置７がコンパクトとなり、狭い場所であっても、建込み装置７の走行が容易となる。
【００２８】
また、建込み装置７が、建造される側壁に沿って敷かれたレール６、６上を走行することで、側壁パネル３を建て込む各位置まで、無駄なく走行することができ、建込み作業を効率よく行うことができる。
【００２９】
また、側壁パネル３の運搬過程で、側壁パネル３は、小型のトラッククレーン８から建込み装置７に受け渡される。このように、側壁パネル３の運搬が、トラッククレーン８と建込み装置７とで分担されており、各側壁パネル３、３の、トラッククレーン８による運搬と、建込み装置７による運搬とを並行して行うことができ、建込み作業を迅速に行うことができる。
【００３０】
図６ないし図９は、本発明に係る側壁パネルの、建込み装置および建込み方法の第二の実施の形態を示す。この第二の実施の形態に示す建込み装置７および建込み方法は、第一の実施の形態とほぼ同様であり、以下に、異なる点を主に説明する。装置本体９における第２の本体部９ｂは、吊り下げられる側壁パネル３の内面に面するようにして、第１の本体部９ａと同様に、側壁パネル３の幅方向に長手となるように形成されている。
【００３１】
そして、吊下げ支持体１０における第２の垂直部材１０ｂは、第２の本体部９ｂの、長手方向の一方端部分から上方に鉛直に延設されている。そして、水平部材は、第１の垂直部材１０ａ、１０ａの上端部分をつなぐように水平に延設される第１の水平部材１０ｃの他に、第２の垂直部材１０ｂの上端部分から、第１の水平部材１０ｃに対向するように水平に延設される第２の水平部材１０ｅと、第２の垂直部材１０ｂとその第２の垂直部材１０ｂに対向する第１の垂直部材１０ａとの各上端部分をつなぐように水平に延設される第３の水平部材１０ｆとが設けられている。また、支持部材１０ｄは、第１の水平部材１０ｃの中央部分と第２の水平部材１０ｅの中間部分とをつなぐようにして、第１および第２の水平部材１０ｃ、１０ｅに直交する水平方向に延設されている。
【００３２】
また、この第２の実施の形態に示す建込み装置７においては、第１の実施の形態と比べると、第２の本体部９ｂは、側壁パネル３に接近して配備されており、サポート部材４、４は、第２の本体部９ｂの上方を横切るようにして、側壁パネル３の内面３ｂと基礎床面５とに渡される。このように、第２の実施の形態においては、第２の本体部９ｂを、側壁パネル３に接近して配備することができ、従って、第１の本体部９ａと第２の本体部９ｂとの間隔を狭くすることができる。
【００３３】
図１０ないし図１２は、本発明に係る側壁パネルの、建込み装置および建込み方法の第三の実施の形態を示す。この第三の実施の形態に示す建込み装置７および建込み方法は、第一の実施の形態とほぼ同様であり、以下に、異なる点を主に説明する。装置本体９は、第２の本体部９ｂはなく、移動吊り装置１１に吊り下げられる側壁パネル３の一方側に位置する第１の本体部９ａのみからなっており、この本体部９ａは、吊り下げられる側壁パネル３の外面３ａに面するようにして、概略矩形形状に形成されている。そして、この第三の実施の形態にあっては、基礎床面５にレール６は敷設されておらず、本体部９ａに設けられる車輪９ｃ、９ｃは、基礎床面５上を直接走行する。また、本体部９ａには、吊り下げられる側壁パネル３とのバランスを保つための、バランスウエイト９ｄが載せられている。
【００３４】
吊下げ支持体１０は、本体部９ａから上方に延設されており、本体部９ａの、吊り下げられる側壁パネル３側の中央から上方に鉛直に延設される垂直部材１０ａと、垂直部材１０ａの上端部分から、吊り下げられる側壁パネル３側に延設される支持部材１０ｄとから構成されている。そして、吊下げ部としての移動吊り装置１１は、吊下げ支持体１０の先端部分となる、支持部材１０ｄに設けられる。また、吊下げ支持体１０の一部となる垂直部材１０ａは、足場支持体を兼ねており、作業足場１２は、足場支持体となる垂直部材１０ａに、昇降可能に支持されている。
【００３５】
こうして、第三の実施の形態にあっては、吊下げ支持体１０が延設される装置本体９が、吊り下げられる側壁パネル３の一方側に位置しているため、たとえ側壁パネル３の他方側に走行の障害となるような障害物があったとしても、側壁パネル３の建て込みに何ら問題は生じない。また、必要によっては、この建込み装置７が、建造される側壁の外側あるいは内側の一方を任意に走行して、側壁パネル３を建て込む各位置に行くことも可能となる。
【００３６】
なお、本発明は、上述した実施の形態に限定されるわけではなく、その他種々の変更が可能である。例えば、側壁パネル３、３によって形成される側壁は、貯水タンクの側壁でなくとも、水以外の液体や、個体を貯めるタンクの側壁であってもよく、また、タンク以外の建造物の側壁であってもよい。
【００３７】
また、第一および第二の実施の形態において、建込み装置７は、レール６上を走行する代わりに、基礎床面５上を走行してもよく、逆に、第三の実施の形態において、建込み装置７は、基礎床面５上を走行する代わりに、レール上を走行してもよい。また、建込み装置７を動かすのに、装置本体９に車輪９ｃを回転させる動力を設けてもよいが、その他に、この建込み装置７を牽引する牽引車両等を別途設けてもよい。
【００３８】
また、作業足場１２は、第１の垂直部材（垂直部材）１０ａに、昇降可能に支持されなくとも、第１の垂直部材（垂直部材）１０ａに固定されて、作業者Ｍが登ったり降りたりできるものであってもよい。さらに、作業足場１２は、図示の各実施の形態においては、側壁の外側に位置するように設けられているが、側壁の内側、あるいは、側壁の内外両側に位置するように設けられても構わない。
【００３９】
【発明の効果】
以上、詳述したところから明らかなように、この発明に係る側壁パネルの、建込み装置および建込み方法によれば、次の効果がある。
【００４０】
請求項１に記載された側壁パネルの建込み装置によれば、この建込み装置が、側壁パネルを吊り下げた状態で、側壁パネルを建て込む各位置まで走行することで、作業半径の大きな大型のトラッククレーンを使用することなく、側壁パネルを建て込むことができる。そして、側壁パネルの重量を、その側壁パネルを間に置く一方側の第１の本体部と、他方側の第２の本体部とで支えることとなり、その側壁パネルを安定して吊り下げることができる。
また、請求項２に記載された側壁パネルの建込み装置によれば、この建込み装置が、側壁パネルを吊り下げた状態で、側壁パネルを建て込む各位置まで走行することで、作業半径の大きな大型のトラッククレーンを使用することなく、側壁パネルを建て込むことができる。そして、側壁パネルの他方側に走行の障害となるような障害物があったとしても、側壁パネルの建て込みは可能である。
【００４１】
また、請求項３に記載された側壁パネルの建込み装置によれば、側壁パネルを建て込む際に、この建込み装置に備わる作業足場に乗った作業者が、側壁パネルから吊下げ部を外す等の、側壁パネルの建込み作業を行うことができ、施工現場に設置する足場を簡略化することができる。
【００４２】
また、請求項４に記載された側壁パネルの建込み装置によれば、建込み装置に備わる、昇降可能な作業足場を用いて、側壁パネルから吊下げ部を外す等の、建込み作業を容易に行うことができる。
【００４３】
また、請求項５に記載された側壁パネルの建込み装置によれば、この建込み装置をコンパクトにすることができ、狭い場所であっても、建込み装置の走行が容易となる。
【００４４】
また、請求項６に記載された側壁パネルの建込み装置によれば、建込み装置の走行と、吊下げ部の水平方向の移動とによって、側壁パネルを建て込む位置を微調整することができ、建込み作業が容易となる。
【００４５】
【００４６】
【００４７】
また、請求項７または８に記載された側壁パネルの建込み方法によれば、建込み装置が、側壁パネルを吊り下げた状態で、側壁パネルを建て込む各位置まで走行することで、作業半径の大きな大型のトラッククレーンを使用することなく、側壁パネルを建て込むことができる。
【００４８】
また、請求項９に記載された側壁パネルの建込み方法によれば、建込み装置が、建造される側壁に沿って敷かれたレール上を走行することで、側壁パネルを建て込む各位置まで、無駄なく走行することができ、建込み作業を効率よく行うことができる。
【００４９】
また、請求項１０に記載された側壁パネルの建込み方法によれば、各側壁パネルの、クレーン等の荷役機械による運搬と、建込み装置による運搬とを並行して行うことができ、建込み作業を迅速に行うことができる。
【図面の簡単な説明】
【図１】  この発明に係る側壁パネルの、建込み装置および建込み方法の第一の実施の形態の、側壁パネルを建て込む過程を示す平面図である。
【図２】  同じく、建込み装置の正面図である。
【図３】  同じく、建込み装置の平面図である。
【図４】  同じく、建込み装置の左側面図である。
【図５】  同じく、建込み装置の右側面図である。
【図６】  この発明に係る側壁パネルの、建込み装置および建込み方法の第二の実施の形態の、建込み装置の正面図である。
【図７】  同じく、建込み装置の平面図である。
【図８】  同じく、建込み装置の左側面図である。
【図９】  同じく、建込み装置の右側面図である。
【図１０】  この発明に係る側壁パネルの、建込み装置および建込み方法の第三の実施の形態の、建込み装置の正面図である。
【図１１】  同じく、建込み装置の平面図である。
【図１２】  同じく、建込み装置の右側面図である。
【図１３】  従来の、側壁パネルを建て込む過程を示す平面図である。
【符号の説明】
３  側壁パネル                  ６  レール
７  建込み装置                  ８  トラッククレーン（荷役機械）
９  装置本体                    ９ａ  第１の本体部
９ｂ  第２の本体部              ９ｃ  車輪（走行手段）
１０  吊下げ支持体
１０ａ  第１の垂直部材（垂直部材、足場支持体）
１０ｄ  支持部材
１１  移動吊り装置（吊下げ部）  １２  作業足場
【図１】
0004250282.tif 000002
【図２】
0004250282.tif 000003
【図３】
0004250282.tif 000004
【図４】
0004250282.tif 000005
【図５】
0004250282.tif 000006
【図６】
0004250282.tif 000007
【図７】
0004250282.tif 000008
【図８】
0004250282.tif 000009
【図９】
0004250282.tif 000010
【図１０】
0004250282.tif 000011
【図１１】
0004250282.tif 000012
【図１２】
0004250282.tif 000013
【図１３】
0004250282.tif 000014